【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
暖房、換気、および空調（ＨＶＡＣ）システムに関連付けられた建造物の熱力学的モデルを生成する方法であって、
ＨＶＡＣ作動状態の適用に応じて建造物の室内温度軌道を予測する建造物の熱力学的モデルについての要求を受け取ることと、 
前記建造物の熱的環境をＨＶＡＣシステムが制御する期間についての時間情報、温度情報、およびＨＶＡＣ作動状態情報を取得することと、 
複数の所定の基底関数のそれぞれに対応する複数の重み係数を判定することとを備え、前記基底関数の重み付けされた組み合わせは、前記ＨＶＡＣ作動状態の変化に応じた前記建造物の室内温度軌道を特徴付け、前記基底関数は、前記作動状態が変化する直前に起こっていた室内温度の変化の割合のキャリーオーバーを特徴付ける慣性キャリーオーバー構成部分を含み、方法はさらに、 
要求に応じて、複数の所定の基底関数のそれぞれに対応する判定された複数の重み係数を含む熱力学的モデルを返すことを備える、方法。 
【請求項２】
前記基底関数は、室外温度と室内温度との差、または、建造物温度と室内温度との差をさらに含む、請求項１に記載の方法。
【請求項３】
建造物温度を推定することをさらに備え、
前記基底関数は、推定建造物温度と室内温度との差を含む、請求項１に記載の方法。
【請求項４】
前記建造物温度を推定することは、
初期建造物温度を特定の時間における室内温度に設定することと、
前記特定の時間の後の複数の連続的な時間の各々について、以前の室内温度と以前の室外温度との重み付けされた組み合わせとして前記推定建造物温度を判定することとを含む、請求項３に記載の方法。 
【請求項５】
前記基底関数は、時刻の表示をさらに含む、請求項１〜請求項４のいずれか１項に記載の方法。
【請求項６】
前記基底関数は、環境因子による影響を受けないエネルギー変化を表わす定数をさらに含む、請求項１〜請求項５のいずれか１項に記載の方法。
【請求項７】
スマートホーム環境におけるＨＶＡＣシステムの動作を制御するための知的ネットワークに接続されたサーモスタットであって、前記サーモスタットは、
前記ＨＶＡＣシステムの１つ以上の要素を作動させるよう動作可能なＨＶＡＣ制御回路と、
前記スマートホーム環境の特性を測定するための１つ以上のセンサーと、
前記ＨＶＡＣ制御回路および前記１つ以上のセンサーに結合され、以下の動作を前記サーモスタットに行なわせるように動作可能なプロセッサとを備え、前記動作は、
ＨＶＡＣ作動状態の適用に応じて建造物の室内温度軌道を予測する建造物の熱力学的モデルについての要求を受け取ることと、
前記建造物の熱的環境を前記ＨＶＡＣシステムが制御する期間についての時間情報、温度情報、およびＨＶＡＣ作動状態情報を取得することと、
複数の所定の基底関数のそれぞれに対応する複数の重み係数を判定することとを含み、前記基底関数の重み付けされた組み合わせは、前記ＨＶＡＣ作動状態の変化に応じた前記建造物の室内温度軌道を特徴付け、前記基底関数は、動作状態が変化する直前に起こっていた室内温度の変化の割合のキャリーオーバーを特徴付ける慣性キャリーオーバー構成部分を含み、前記動作はさらに、
前記要求に応じて、前記複数の所定の基底関数のそれぞれに対応する判定された前記複数の重み係数を含む熱力学的モデルを返すことを含む、サーモスタット。
【請求項８】
前記基底関数は、前記建造物の室内温度軌道に対する現在の段階の効果を特徴付ける現段階の効果構成部分をさらに含む、請求項７に記載のサーモスタット。
【請求項９】
前記現段階の効果構成部分は、ゼロから始まり、特定の期間後に最大に達し、その後に減少する、請求項８に記載のサーモスタット。
【請求項１０】
前記複数の重み係数は、外部から提供された天気予報および外部から提供されたクロック信号を除く、サーモスタットにおいてローカルで利用可能な情報のみを使用して判定される、請求項７〜請求項９のいずれか１項に記載のサーモスタット。
【請求項１１】
前記ＨＶＡＣ作動状態は、比較的高いエネルギー消費によって特徴付けられる第１の状態と、比較的低いエネルギー消費によって特徴付けられる第２の状態とを含む、請求項７〜請求項１０のいずれか１項に記載のサーモスタット。
【請求項１２】
各基底関数は室内温度軌道の部分を特徴付ける、請求項８〜請求項１１のいずれか１項に記載のサーモスタット。
【請求項１３】
コンピュータプロセッサによって実行された場合にコンピュータプロセッサに動作を行なわせる命令を含むコンピュータプログラムであって、前記動作は、
ＨＶＡＣ作動状態の適用に応じて建造物の室内温度軌道を予測する建造物の熱力学的モデルについての要求を受け取ることと、
建造物の熱的環境をＨＶＡＣシステムが制御する期間についての時間情報、温度情報、およびＨＶＡＣ作動状態情報を取得することと、
複数の所定の基底関数のそれぞれに対応する複数の重み係数を判定することとを含み、前記基底関数の重み付けされた組み合わせは、ＨＶＡＣ作動状態の変化に応じた建造物の室内温度軌道を特徴付け、前記基底関数は、動作状態が変化する直前に起こっていた室内温度の変化の割合のキャリーオーバーを特徴付ける慣性キャリーオーバー構成部分を含み、前記動作はさらに、
要求に応じて、複数の所定の基底関数のそれぞれに対応する判定された複数の重み係数を含む熱力学的モデルを返すことを含む、コンピュータプログラム。
【請求項１４】
前記熱力学的モデルについての前記要求は、返される熱力学的モデルについて望まれる特定性のレベルを示す、請求項１３に記載のコンピュータプログラム。
【請求項１５】
前記コンピュータプロセッサによって実行された場合にコンピュータプロセッサに付加的な動作を行なわせる命令をさらに含み、前記付加的な動作は、
熱力学的モデルについての要求を満たすのに十分な１つ以上の候補モデルについて複数の既存のモデルを検索することを含む、請求項１４に記載のコンピュータプログラム。
【請求項１６】
前記コンピュータプロセッサによって実行された場合にコンピュータプロセッサに付加的な動作を行なわせる命令をさらに含み、前記付加的な動作は、
前記検索によって任意の候補モデルが見付からなかった場合に、新しいモデルを生成することと、
要求に応じて、前記生成された新しいモデルを返すこととを含む、請求項１５に記載のコンピュータプログラム。
【請求項１７】
前記コンピュータプロセッサによって実行された場合にコンピュータプロセッサに付加的な動作を行なわせる命令をさらに含み、前記付加的な動作は、
前記新しいモデルが生成された後に、前記新しいモデルを普遍化することを含む、請求項１６に記載の記憶媒体。
【請求項１８】
前記コンピュータプロセッサによって実行された場合にコンピュータプロセッサに付加的な動作を行なわせる命令をさらに含み、前記付加的な動作は、
前記検索によって候補モデルが１つのみ見つかった場合に、見付かったモデルを要求に応じて返すことを含む、請求項１５〜請求項１７のいずれか１項に記載のコンピュータプログラム。
【請求項１９】
前記コンピュータプロセッサによって実行された場合にコンピュータプロセッサに付加的な動作を行なわせる命令をさらに含み、前記付加的な動作は、
前記検索によって複数の候補モデルが見付かった場合に、要求に応じて前記複数の候補モデルのうち最も限定的なモデルを返すことを含む、請求項１５〜請求項１８のいずれか１項に記載のコンピュータプログラム。
【手続補正２】
【補正対象書類名】明細書
【補正対象項目名】００２１
【補正方法】変更
【補正の内容】
【００２１】
装置１００における１つ以上のユーザーインターフェイス構成部分１０４は、視覚ディスプレイ（たとえば、薄膜トランジスタディスプレイもしくは有機発光ダイオードディスプレイ）および／または音声スピーカーおよび／または一部の他の通信媒体を介してユーザーに対して情報を提示するように構成され得る。ユーザーインターフェイス構成部分１０４は、タッチ画面、ボタン、スクロール構成部分（たとえば、可動もしくは仮想リング構成部分）、マイクロフォン、もしくはカメラ（たとえば、ジェスチャーを検知する）など、ユーザーから情報を受け取るための１つ以上のユーザー入力構成部分も含み得る。一実施形態において、ユーザーインターフェイス構成部分１０４は、クリックおよび回転（click-and-rotate）環状リング構成部分を含み、ここでユーザーは、リングを回転させることによって（たとえば、設定を調節するために）、および／またはリングを内方向にクリックすることによって（たとえば、調節された設定を選択する、またはオプションを選択するために）、構成部分と対話することができる。他の実施形態において、ユーザーインターフェイス構成部分１０４は、ジェスチャーを検知することができるように（たとえば、装置の電力もしくは警報の状態が変更されることを示すために）カメラを含む。